(57)【要約】【解決手段】本発明は、Ｘ２ハンドオーバーの実現方法、実現装置及び実現システムを開示した。本発明に係るスキームにおいて、基地局は、ハンドオーバーを行う必要があると確定する場合に、自体と確定されたターゲット基地局との間にＸ２接続が存在し、且つ同一移動性管理エンティティ（MME）の管理範囲内にあることを検出し、取得されたターゲット基地局に接続されたサービングゲートウェイに応じて、ターゲット基地局と自体に接続されたサービングゲートウェイとの間に接続が存在すると確定する場合に、Ｘ２ハンドオーバーを開始する。本発明に係る方案によれば、基地局がハンドオーバーを開始する前に、現在Ｘ２ハンドオーバーの条件を満たすかどうか、即ち、ターゲット基地局と前記基地局に接続されたサービングゲートウェイとが、接続が存在するかどうかを正確に確定することができ、Ｘ２ハンドオーバーの条件を満たす場合、Ｘ２ハンドオーバーを開始し、Ｘ２ハンドオーバーの失敗の可能性を有効的に避けて、Ｘ２ハンドオーバーの成功率を向上させて、ユーザにより良い体験をもたらす。【選択図】図３
2012533945.tif 000002
【特許請求の範囲】
【請求項１】
基地局が、ハンドオーバーを行う必要があると確定する場合に、自体と確定されたターゲット基地局との間にＸ２接続が存在し、且つ同一移動性管理エンティティ（MME）の管理範囲内にあることを検出したＸ２ハンドオーバーの実現方法であって、
当該方法は、取得したターゲット基地局に接続されたサービングゲートウェイに応じて、ターゲット基地局と自体に接続されたサービングゲートウェイとの間に接続が存在すると確定する場合に、Ｘ２ハンドオーバーを開始することを更に含むことを特徴とするＸ２ハンドオーバーの実現方法。
【請求項２】
前記ハンドオーバーを行う必要があると確定する前に、
前記ターゲット基地局と前記基地局とがＸ２接続を確立する場合に、前記基地局へ接続されたサービングゲートウェイの情報を提供し、又は、
前記ターゲット基地局と前記基地局とがＸ２接続を確立した後、前記ターゲット基地局に接続されたサービングゲートウェイの配置が変更した場合に、前記基地局へ配置が変更した後での接続されたサービングゲートウェイの情報を提供することを更に含む
ことを特徴とする請求項１に記載の方法。
【請求項３】
前記ターゲット基地局と前記基地局とがＸ２接続を確立する場合に、前記接続されたサービングゲートウェイの情報は、Ｘ２接続確立メッセージ、又はＸ２セットアップ応答メッセージにキャリーされ、
前記ターゲット基地局に接続されたサービングゲートウェイの配置が変更した場合に、前記接続されたサービングゲートウェイの情報は、基地局配置更新メッセージにキャリーされる
ことを特徴とする請求項２に記載の方法。
【請求項４】
前記接続されたサービングゲートウェイの情報を提供する前に、
前記ターゲット基地局において、前記ターゲット基地局に接続されたサービングゲートウェイの情報を配置し、又は、
前記ターゲット基地局とMMEとが接続を確立する場合に、MMEは、前記ターゲット基地局へ前記ターゲット基地局に接続されたサービングゲートウェイの情報を提供することを更に含む
ことを特徴とする請求項２に記載の方法。
【請求項５】
当該方法は、
基地局と他の基地局との間のＸ２接続が切断され、前記基地局が相応的な基地局に接続されたサービングゲートウェイの情報を削除することを更に含む
ことを特徴とする請求項１〜４のいずれか１項に記載の方法。
【請求項６】
当該方法は、
基地局が、ターゲット基地局と自体に接続されたサービングゲートウェイとの間に接続が存在しないと確定する場合に、Ｓ１ハンドオーバーを開始することを更に含む
ことを特徴とする請求項１〜４のいずれか１項に記載の方法。
【請求項７】
Ｘ２ハンドオーバーの実現基地局であって、
ターゲット基地局に接続されたサービングゲートウェイの情報を記憶することに用いられる接続情報記憶ユニットと、
ハンドオーバーを行う必要があると確定する場合に、基地局と確定されたターゲット基地局との間にＸ２接続が存在し、且つ同一MMEの管理範囲内にあることを検出し、前記ターゲット基地局に接続されたサービングゲートウェイの情報に応じて、ターゲット基地局と基地局に接続されたサービングゲートウェイとの間に接続が存在すると確定する場合に、Ｘ２ハンドオーバーユニットをトリガーすることに用いられるハンドオーバー判断ユニットと、
Ｘ２ハンドオーバーを開始することに用いられるＸ２ハンドオーバーユニットとを含むＸ２ハンドオーバーの実現基地局。
【請求項８】
前記基地局は、
前記ターゲット基地局と基地局とがＸ２接続を確立する場合に、前記ターゲット基地局によって提供された前記ターゲット基地局に接続されたサービングゲートウェイの情報を受信し、且つ接続情報記憶ユニットに記憶することに用いられる接続情報受信ユニットを更に含み、
又は、
前記接続情報記憶ユニットは、基地局に接続されたサービングゲートウェイの情報を記憶することに更に用いられ、前記基地局は、
前記ターゲット基地局とのＸ２接続を確立し、且つ接続情報送信ユニットをトリガーすることに用いられるＸ２接続管理ユニットと、
前記ターゲット基地局へ接続情報記憶ユニットに記憶された、基地局に接続されたサービングゲートウェイの情報を提供することに用いられる接続情報送信ユニットとを更に含み、
又は、
前記接続情報記憶ユニットは、基地局に接続されたサービングゲートウェイの情報を記憶することに更に用いられ、前記基地局は、
接続情報記憶ユニットに記憶された、基地局に接続されたサービングゲートウェイの情報を更新し、且つ接続情報送信ユニットをトリガーすることに用いられる配置更新ユニットと、
前記ターゲット基地局へ接続情報記憶ユニットに記憶された、基地局に接続されたサービングゲートウェイの情報を提供することに用いられる接続情報送信ユニットとを更に含む
ことを特徴とする請求項７に記載の基地局。
【請求項９】
前記接続情報記憶ユニットに記憶されたサービングゲートウェイの情報は、直接に接続情報記憶ユニットに配置され、又は、
前記基地局は、MMEに提供された、基地局に接続されたサービングゲートウェイの情報を受信し、且つ接続情報記憶ユニットに記憶することに用いられる接続情報受信ユニットを更に含み、又は、
前記基地局は、他の基地局とのＸ２接続を切断した場合に、接続情報記憶ユニットに記憶された、Ｘ２接続を切断した、基地局に接続されたサービングゲートウェイの情報を削除することに用いられるＸ２接続管理ユニットを更に含む
ことを特徴とする請求項８に記載の基地局。
【請求項１０】
前記基地局は、Ｓ１ハンドオーバーユニットを更に含み、
前記ハンドオーバー判断ユニットは、ターゲット基地局と基地局に接続されたサービングゲートウェイとの間に接続が存在しないと確定する場合に、Ｓ１ハンドオーバーユニットをトリガーすることに更に用いられ、
前記Ｓ１ハンドオーバーユニットは、Ｓ１ハンドオーバーを開始することに用いられる
ことを特徴とする請求項７〜９のいずれか１項に記載の基地局。
【請求項１１】
Ｘ２ハンドオーバーの実現システムであって、
基地局へ接続されたサービングゲートウェイの情報を提供することに用いられるターゲット基地局と、
ハンドオーバーを行う必要があると確定する場合に、自体と確定されたターゲット基地局との間にＸ２接続が存在し、且つ同一移動性管理エンティティ（MME）の管理範囲内にあることを検出し、取得されたターゲット基地局に接続されたサービングゲートウェイの情報に応じて、ターゲット基地局と自体に接続されたサービングゲートウェイとの間に接続が存在すると確定する場合に、Ｘ２ハンドオーバーを開始することに用いられる基地局とを含むＸ２ハンドオーバーの実現システム。
【請求項１２】
前記ターゲット基地局によって提供された、接続されたサービングゲートウェイの情報は、直接に前記ターゲット基地局に配置され、又は、
当該システムは、前記ターゲット基地局へ前記ターゲット基地局に接続されたサービングゲートウェイの情報を提供することに用いられるMMEを更に含む
ことを特徴とする請求項１１に記載のシステム。
【請求項１３】
前記基地局は、ターゲット基地局と自体に接続されたサービングゲートウェイとの間に接続が存在しないと確定する場合に、Ｓ１ハンドオーバーを開始すること、及び/又は、
前記ターゲット基地局とのＸ２接続を切断した場合に、自体に記憶された、Ｘ２接続を切断した、基地局に接続されたサービングゲートウェイの情報を削除することに更に用いられる
ことを特徴とする請求項１１又は１２に記載のシステム。
【発明の詳細な説明】
【技術分野】
【０００１】
本発明は、移動通信技術に関し、特に、Ｘ２ハンドオーバーの実現方法、実現装置及び実現システムに関する。
【背景技術】
【０００２】
ハンドオーバーは、移動通信システムにおいてユーザ移動性を保証する基本的な処理プロセスの一つであり、ユーザが異なる移動通信システムの間で移動する場合に、ハンドオーバーがユーザの移動過程でのサービスの連続性を保証できる。
【０００３】
ユーザ端末（UE：User Equipment）は、発展型基地局（eNB：E-UTRANNode B）へ測定レポート（MEASUREMENT REPORT）を送信し、eNBが測定レポートに応じて当該UEにサービスし続けることができるかどうかを判定し、判定結果が当該UEにサービスし続けることができない場合、別の一つのeNBをハンドオーバーのターゲットeNBとして選択し、ハンドオーバーを開始する当該eNBがソースeNBである。ソースeNBは、ターゲットeNBとのＸ２接続が存在し、且つ二つのeNBが同一移動性管理エンティティ（MME：MobilityManagement Entity）の管理範囲内にあることを検出した場合に、優先的にＸ２ハンドオーバーを開始する。従来のプロトコルには、二つのＸ２ハンドオーバーの場面が提供されている。一つは、サービングゲートウェイ（S-GW：ServingGateway）リロケーションなしのＸ２ハンドオーバーであって、以下、ハンドオーバー場面一と略称され、もう一つは、S-GWリロケーションが必要なＸ２ハンドオーバーであって、以下、ハンドオーバー場面二と略称される。
【０００４】
図１は、従来のハンドオーバー場面一のプロセスを示す図である。図１に示すように、ハンドオーバー場面一の具体的な処理は、
ソースeNBが、S-GWの伝送層アドレスとトンネルアドレスとをキャリーするハンドオーバーリクエスト（HandoverRequest）メッセージをターゲットeNBに送信するステップと、
ターゲットeNBが、ハンドオーバーリクエストメッセージを受信した後、逆伝送のための伝送層アドレスとトンネルアドレスとをキャリーするハンドオーバーリクエスト応答（HandoverRequest Ack）メッセージをソースeNBに返すステップと、
ソースeNBが、ハンドオーバーリクエスト応答メッセージを受信した後、ハンドオーバーコマンド（HandoverCommand）メッセージをUEに送信して、ハンドオーバーを行うことをUEに知らせるステップと、
UEが、ハンドオーバーコマンドメッセージを受信した後、ハンドオーバーを行って、ターゲットeNBへハンドオーバー確認（HandoverConfirm）メッセージを送信して、無線リンクが既に確立されたことをターゲットeNBに知らせ、この場合、UEがターゲットeNBへアップリンクデータの送信を開始するステップと、
ターゲットeNBが、アップリンクデータを受信した後、S-GWへ転送するステップと、
ターゲットeNBが、ターゲットeNBの伝送層アドレスとトンネルアドレスとをキャリーするパス切り替えリクエスト（PathSwitch Request）メッセージをMMEに送信して、UEのダウンリンクデータをターゲットeNBを介して送信することができることをS-GWに知らせるステップと、
MMEが、パス切り替えリクエストメッセージを受信した後、一連の配置を行って、パス切り替えリクエスト応答（PathSwitch Request Ack）メッセージをターゲットeNBに返すステップとを含む。これにより、UEとS-GWとがすべてターゲットeNBにハンドオーバーされて、ターゲットeNBを介してアップ・ダウンリンクデータの伝送を行うことができる。
【０００５】
図２は、従来のハンドオーバー場面二のプロセスを示す図である。図２に示すように、ハンドオーバー場面二の具体的な処理は、
ハンドオーバーの開始から、ターゲットeNBがMMEへパス切り替えリクエストメッセージを送信するまで、ハンドオーバー場面一のプロセスと同じであるステップと、
MMEが、パス切り替えリクエストメッセージを受信した後、ターゲットeNBに新しいS-GW、即ちターゲットS-GWを割当てて、MMEからターゲットeNBまでに返すパス切り替えリクエスト応答メッセージにターゲットS-GWの伝送層アドレスとトンネルアドレスとをキャリーするステップと、
ターゲットeNBが、パス切り替えリクエスト応答メッセージを受信した後、UEからのアップリンクデータがソースS-GWへ転送し続けない、ターゲットS-GWに転送することに変更するステップとを含む。これにより、UEがターゲットeNBにハンドオーバーされ、ターゲットS-GWもターゲットeNBへのサービスを開始する。
【０００６】
前記した二つのハンドオーバー場面でのハンドオーバープロセスは、開始される際に、いずれも一つの重要な問題を無視した。S-GWとターゲットeNBとの間にIP接続が存在しない場合、Ｘ２ハンドオーバーが失敗してしまい、これによって、Ｘ２ハンドオーバーの成功率を大きく下げる。
【０００７】
ハンドオーバー場面一では、具体的に、UEは、ターゲットeNBへハンドオーバー確認メッセージを送信した後、ターゲットeNBへのアップリンクデータを送信し始めるが、ターゲットeNBは、UEからのアップリンクデータを受信した後、S-GWへ転送する場合、ターゲットeNBとS-GWとの間にIP接続が存在することが必ず要求されるが、ターゲットeNBとS-GWとの間にIP接続が存在しない場合、UEのアップリンクデータが全て紛失して中止してしまい、Ｘ２ハンドオーバーが失敗することを引き起こす。
【０００８】
ハンドオーバー場面二では、具体的に、UEは、ターゲットeNBへハンドオーバー確認メッセージを送信した後、ターゲットeNBへのアップリンクデータの送信し始め、ターゲットeNBは、UEからのアップリンクデータを受信した後、ターゲットeNBがパス切り替えリクエスト応答メッセージを受信したまで、依然としてソースS-GWへ転送するため、MMEによって割当てられたターゲットS-GWへ受信されたアップリンクデータを転送することができる。これにより、ターゲットeNBとソースS-GWとの間にIP接続が存在しない場合、ソースS-GWへ転送される、UEからのアップリンクデータが全て紛失し、Ｘ２ハンドオーバーが失敗することをもたらす。
【０００９】
以上の二つの場面において、Ｘ２ハンドオーバーの失敗が、UEが既にターゲットeNBにアクセスした後で発生したことであるため、この時、Ｓ１ハンドオーバーを再開始したとしても間に合わなくなり、ユーザの体験が大きく下げることを引き起こす。
【発明の概要】
【発明が解決しようとする課題】
【００１０】
これに鑑みて、本発明の主な目的は、Ｘ２ハンドオーバーの成功率を向上させるために、Ｘ２ハンドオーバーの実現方法、実現装置及び実現システムを提供することにある。
【課題を解決するための手段】
【００１１】
前記技術的な問題を解決するために、本発明に係る技術的なスキームは以下のように実現されている。
【００１２】
基地局が、ハンドオーバーを行う必要があると確定する場合に、自体と確定されたターゲット基地局との間にＸ２接続が存在し、且つ同一移動性管理エンティティ（MME）の管理範囲内にあることを検出したＸ２ハンドオーバーの実現方法であって、当該方法は、取得したターゲット基地局に接続されたサービングゲートウェイに応じて、ターゲット基地局と自体に接続されたサービングゲートウェイとの間に接続が存在すると確定する場合に、Ｘ２ハンドオーバーを開始することを更に含む。
【００１３】
前記ハンドオーバーを行う必要があると確定する前に、
前記ターゲット基地局と前記基地局とがＸ２接続を確立する場合に、前記基地局へ接続されたサービングゲートウェイの情報を提供し、又は、
前記ターゲット基地局と前記基地局とがＸ２接続を確立した後、前記ターゲット基地局に接続されたサービングゲートウェイの配置が変更した場合に、前記基地局へ配置が変更した後での接続されたサービングゲートウェイの情報を提供することを更に含む。
【００１４】
前記ターゲット基地局と前記基地局とがＸ２接続を確立する場合に、前記接続されたサービングゲートウェイの情報は、Ｘ２確立リクエストメッセージ又はＸ２セットアップ応答メッセージにキャリーされる。
【００１５】
前記ターゲット基地局に接続されたサービングゲートウェイの配置が変更した場合に、前記接続されたサービングゲートウェイの情報は、基地局配置更新メッセージにキャリーされる。
【００１６】
前記接続されたサービングゲートウェイの情報を提供する前に、
前記ターゲット基地局において、前記ターゲット基地局に接続されたサービングゲートウェイの情報を配置し、又は、
前記ターゲット基地局とMMEとが接続を確立する場合に、MMEは、前記ターゲット基地局へ前記ターゲット基地局に接続されたサービングゲートウェイの情報を提供することを更に含む。
【００１７】
上記スキームにおいて、当該方法は、基地局と他の基地局との間のＸ２接続が切断され、前記基地局が相応的な基地局に接続されたサービングゲートウェイの情報を削除することを更に含む。
【００１８】
上記スキームにおいて、当該方法は、基地局が、ターゲット基地局と自体に接続されたサービングゲートウェイとの間に接続が存在しないと確定する場合に、Ｓ１ハンドオーバーを開始することを更に含む。
【００１９】
Ｘ２ハンドオーバーの実現基地局であって、
ターゲット基地局に接続されたサービングゲートウェイの情報を記憶することに用いられる接続情報記憶ユニットと、
ハンドオーバーを行う必要があると確定する場合に、基地局と確定されたターゲット基地局との間にＸ２接続が存在し、且つ同一MMEの管理範囲内にあることを検出し、前記ターゲット基地局に接続されたサービングゲートウェイの情報に応じて、ターゲット基地局と基地局に接続されたサービングゲートウェイとの間に接続が存在すると確定する場合に、Ｘ２ハンドオーバーユニットをトリガーすることに用いられるハンドオーバー判断ユニットと、
Ｘ２ハンドオーバーを開始することに用いられるＸ２ハンドオーバーユニットとを含む。
【００２０】
前記基地局は、
前記ターゲット基地局と基地局とがＸ２接続を確立する場合に、前記ターゲット基地局によって提供された前記ターゲット基地局に接続されたサービングゲートウェイの情報を受信し、且つ接続情報記憶ユニットに記憶することに用いられる接続情報受信ユニットを更に含み、
又は、
前記接続情報記憶ユニットは、基地局に接続されたサービングゲートウェイの情報を記憶することに更に用いられ、前記基地局は、
前記ターゲット基地局とのＸ２接続を確立し、且つ接続情報送信ユニットをトリガーすることに用いられるＸ２接続管理ユニットと、
前記ターゲット基地局へ接続情報記憶ユニットに記憶された、基地局に接続されたサービングゲートウェイの情報を提供することに用いられる接続情報送信ユニットとを更に含み、
又は、
前記接続情報記憶ユニットは、基地局に接続されたサービングゲートウェイの情報を記憶することに更に用いられ、前記基地局は、
接続情報記憶ユニットに記憶された、基地局に接続されたサービングゲートウェイの情報を更新し、且つ接続情報送信ユニットをトリガーすることに用いられる配置更新ユニットと、
前記ターゲット基地局へ接続情報記憶ユニットに記憶された、基地局に接続されたサービングゲートウェイの情報を提供することに用いられる接続情報送信ユニットとを更に含む。
【００２１】
前記接続情報記憶ユニットに記憶されたサービングゲートウェイの情報は、直接に接続情報記憶ユニットに配置され、又は、
前記基地局は、MMEに提供された、基地局に接続されたサービングゲートウェイの情報を受信し、且つ接続情報記憶ユニットに記憶することに用いられる接続情報受信ユニットを更に含み、又は、
前記基地局は、他の基地局とのＸ２接続を切断した場合に、接続情報記憶ユニットに記憶された、Ｘ２接続を切断した、基地局に接続されたサービングゲートウェイの情報を削除することに用いられるＸ２接続管理ユニットを更に含む。
【００２２】
前記基地局は、Ｓ１ハンドオーバーユニットを更に含む。
【００２３】
前記ハンドオーバー判断ユニットは、ターゲット基地局と基地局に接続されたサービングゲートウェイとの間に接続が存在しないと確定する場合に、Ｓ１ハンドオーバーユニットをトリガーすることに更に用いられる。
【００２４】
前記Ｓ１ハンドオーバーユニットは、Ｓ１ハンドオーバーを開始することに用いられる。
【００２５】
Ｘ２ハンドオーバーの実現システムであって、
基地局へ接続されたサービングゲートウェイの情報を提供することに用いられるターゲット基地局と、
ハンドオーバーを行う必要があると確定する場合に、自体と確定されたターゲット基地局との間にＸ２接続が存在し、且つ同一移動性管理エンティティ（MME）の管理範囲内にあることを検出し、取得されたターゲット基地局に接続されたサービングゲートウェイの情報に応じて、ターゲット基地局と自体に接続されたサービングゲートウェイとの間に接続が存在すると確定する場合に、Ｘ２ハンドオーバーを開始することに用いられる基地局とを含む。
【００２６】
前記ターゲット基地局によって提供された、接続されたサービングゲートウェイの情報は、直接に前記ターゲット基地局に配置される、又は、
当該システムは、前記ターゲット基地局へ前記ターゲット基地局に接続されたサービングゲートウェイの情報を提供することに用いられるMMEを更に含む。
【００２７】
前記基地局は、ターゲット基地局と自体に接続されたサービングゲートウェイとの間に接続が存在しないと確定する場合に、Ｓ１ハンドオーバーを開始すること、及び/又は、前記ターゲット基地局とのＸ２接続を切断した場合に、自体に記憶された、Ｘ２接続を切断した、基地局に接続されたサービングゲートウェイの情報を削除することに更に用いられる。
【発明の効果】
【００２８】
本発明が提供した方案によれば、基地局がハンドオーバーを開始する前に、現在Ｘ２ハンドオーバーの条件を満たすかどうか、即ちターゲット基地局と前記基地局に接続されたサービングゲートウェイとの間に接続が存在するかどうかを正確に確定することができ、Ｘ２ハンドオーバーの条件を満たす場合、Ｘ２ハンドオーバーを開始し、Ｘ２ハンドオーバーの失敗の可能性を有効的に避けて、Ｘ２ハンドオーバーの成功率を向上させて、ユーザに良い体験をもたらす。
【図面の簡単な説明】
【００２９】
【図１】従来のハンドオーバー場面一のプロセスを示す図である。
【図２】従来のハンドオーバー場面二のプロセスを示す図である。
【図３】本発明におけるＸ２ハンドオーバーを実現するプロセスを示す図である。
【図４】本発明におけるＸ２ハンドオーバーを実現する具体的な実施例のプロセスを示す図である。
【図５】本発明におけるＸ２ハンドオーバーの実現基地局の構造図である。
【図６】本発明におけるＸ２ハンドオーバーの実現システムの構造図である。
【発明を実施するための形態】
【００３０】
本発明において、基地局は、ハンドオーバーを行う必要があると確定する場合に、自体と確定されたターゲット基地局との間にＸ２接続が存在し、且つ同一移動性管理エンティティ（MME）の管理範囲内にあることを検出し、取得されたターゲット基地局に接続されたサービングゲートウェイの情報に応じて、ターゲット基地局と自体に接続されたサービングゲートウェイとの間に接続が存在すると確定する場合に、Ｘ２ハンドオーバーを開始する。ここで前記他の基地局は、ハンドオーバーを行う必要があると確定する基地局と異なる。前記他の基地局にはハンドオーバーの時に確定されたターゲット基地局が含まれる。
【００３１】
図３は、本発明におけるＸ２ハンドオーバーを実現するプロセスを示す図である。図３に示すように、Ｘ２ハンドオーバーを実現する具体的な処理は、以下のステップを含む。
【００３２】
ステップ３０１、基地局は、他の基地局に接続されたサービングゲートウェイを取得する。
【００３３】
他の基地局自体に接続されたサービングゲートウェイの情報は、他の基地局とMMEとが接続を確立する場合に、MMEによって提供され、他の基地局によって記憶されてよいし、直接に他の基地局に配置されてもよい、即ち、他の基地局の運用保守ステーションを介して他の基地局において前記他の基地局に接続された全てのサービングゲートウェイの情報を配置する。
【００３４】
基地局と他の基地局とがＸ２接続を確立する場合に、両者が接続されたサービングゲートウェイの情報をそれぞれインタラクションする。また、前記基地局とのＸ２接続を確立した他の基地局に対しては、他の基地局によって配置された、接続されたサービングゲートウェイが少し変更した場合、即ち配置更新が発生した場合に、配置更新が発生した基地局も当該基地局へ配置更新後の接続されたサービングゲートウェイの情報を提供する。基地局は、受信された他の基地局に接続されたサービングゲートウェイの情報を記憶する。
【００３５】
前記したサービングゲートウェイの情報は、具体的に、サービングゲートウェイの識別子であってよい。
【００３６】
以上の各手段に基づいて、基地局は、他の基地局に接続されたサービングゲートウェイを取得したとともに、他の基地局も当該基地局に接続されたサービングゲートウェイを取得した。
【００３７】
その他、基地局と他の基地局との間のＸ２接続が切断される場合、基地局は、相応的な基地局に接続されたサービングゲートウェイの情報を削除する。
【００３８】
ステップ３０２〜ステップ３０３、基地局は、UEに報告された測定レポートに応じて現在ハンドオーバーを行う必要があると確定し、ハンドオーバーされるターゲット基地局を確定し、且つ自体と当該ターゲット基地局との間にＸ２接続が存在し、且つ同一MMEの管理範囲にあることを検出する。
【００３９】
ステップ３０４、基地局は、取得された他の基地局に接続されたサービングゲートウェイに応じて、ターゲット基地局と自体に接続されたサービングゲートウェイとの間に接続が存在するかどうかを判断し、接続が存在する場合、ターゲット基地局へＸ２ハンドオーバーリクエストメッセージを送信してＸ２ハンドオーバーを開始し、接続が存在しない場合、ターゲット基地局へＳ１ハンドオーバーリクエストメッセージを送信してＳ１ハンドオーバーを開始する。
【００４０】
ステップ３０４において前記判断することは、具体的に、記憶された情報にターゲット基地局によって提供された、ターゲット基地局に接続されたサービングゲートウェイの情報をサーチし、前記サービングゲートウェイの情報が自体に接続されたサービングゲートウェイの情報とマッチングできるかどうかを判断し、マッチングできる場合、ターゲット基地局と自体に接続されたサービングゲートウェイとの間に接続が存在することを示し、マッチングできない場合、ターゲット基地局と自体に接続されたサービングゲートウェイとの間に接続が存在しないことを示すように実現される。ここで、基地局に接続されたサービングゲートウェイは、現在ハンドオーバーにサービスするサービングゲートウェイを指摘する。
【００４１】
図４は、本発明におけるＸ２ハンドオーバーを実現する具体的な実施例のプロセスを示す図であり、当該具体的な実施例における基地局は、eNBであり、サービングゲートウェイは、S-GWである。図４に示すように、Ｘ２ハンドオーバーを実現する具体的な処理は、以下のステップを含む。
【００４２】
ステップ４０１〜ステップ４０２、MMEは、eNBへ当該eNBに接続された全てのS-GWのIPアドレスを提供し、eNBは、自体に接続された全てのS-GWのIPアドレスを受信して記憶する。
【００４３】
eNBは、電源投入した後、MMEへＳ１セットアップリクエスト（Ｓ１ SETUPREQUEST）メッセージを送信し、MMEは、Ｓ１セットアップリクエストメッセージを受信した後、当該eNBへ当該eNBに接続された全てのS-GWのIPアドレスをキャリーするＳ１セットアップ応答（Ｓ１SETUP RESPONSE）メッセージを返し、eNBは、Ｓ１セットアップ応答メッセージを受信した後、各S-GWのIPアドレスを解析して記憶する。
【００４４】
ステップ４０３〜ステップ４０５、eNBと他のeNBとがＸ２接続を確立する場合に、eNBと他のeNBは、それぞれに接続された全てのS-GWのIPアドレスをインタラクションし、eNBは、他のeNBに接続された全てのS-GWのIPアドレスを受信して記憶する。eNBの間でのインタラクションされた、自体に接続された全てのS-GWのIPアドレスは、eNBの間での伝送されたＸ２セットアップリクエスト（Ｘ２SETUP REQUEST）メッセージ、又はＸ２セットアップ応答（Ｘ２ SETUP RESPONSE）メッセージにキャリーされる。
【００４５】
また、eNBとＸ２接続が存在する他のeNBは、配置された接続されたS-GWが少し変更した場合に、前記他のeNBも当該eNBへ配置更新後の接続された全てのS-GWのIPアドレスを提供する。それに応じて、eNBは、配置された接続されたS-GWが少し変更した場合に、同様に、Ｘ２接続が存在する他のeNBへ配置更新後の接続された全てのS-GWのIPアドレスを提供する。この場合、接続された全てのS-GWのIPアドレスは、eNBの間での伝送されたeNB配置更新（ENBCONFIGRATION UPDATE）メッセージにキャリーされてよい。
【００４６】
ステップ４０６〜ステップ４０７、eNBは、UEに報告された測定レポートに応じて、現在ハンドオーバーを行う必要があると確定し、ハンドオーバーされるターゲットeNBを確定し、且つ自体と当該ターゲットeNBとの間にＸ２接続が存在し、且つ同一MMEの管理範囲内にあることを検出する。
【００４７】
ステップ４０８、eNBは、取得された他のeNBに接続されたS-GWのIPアドレスに応じて、ターゲットeNBと自体に接続されたS-GWとの間に接続が存在するかどうかを判断し、接続が存在する場合、ターゲットeNBへＸ２ハンドオーバーリクエストメッセージを送信してＸ２ハンドオーバーを開始し、接続が存在しない場合、ターゲットeNBへＳ１ハンドオーバーリクエストメッセージを送信してＳ１ハンドオーバーを開始する。
【００４８】
ステップ４０８において前記判断することは、具体的に、eNBが、記憶された情報にターゲットeNBによって提供されたターゲットeNBに接続されたS-GWのIPアドレスをサーチし、前記S-GWのIPアドレスが自体に接続されたS-GWのIPアドレスとマッチングできるかどうかを判断し、マッチングできる場合、ターゲットeNBと自体に接続されたS-GWとの間に接続が存在することを示し、マッチングできない場合、ターゲットeNBと自体に接続されたS-GWとの間に接続が存在しないことを示すように実現される。
【００４９】
ここで、eNBに接続されたS-GWは、現在ハンドオーバーにサービスするS-GWである。ハンドオーバー場面一において、当該S-GWは、図１でのS-GWであり、ハンドオーバー場面二において、当該S-GWは、図２でのソースS-GWである。
【００５０】
前記したターゲットeNBは、特にある具体的な所定のeNBではなく、今回ハンドオーバーの完了後に対してUEにサービスを提供するeNBである。異なるハンドオーバー過程で、ターゲットeNBは、異なるeNBである。
【００５１】
図５は、本発明におけるＸ２ハンドオーバーの実現基地局の構造図である。図５に示すように、当該基地局は、接続情報記憶ユニット、ハンドオーバー判断ユニットとＸ２ハンドオーバーユニットを含む。接続情報記憶ユニットは、他の基地局に接続されたサービングゲートウェイの情報を記憶することに用いられる。ハンドオーバー判断ユニットは、ハンドオーバーを行う必要があると確定する場合に、基地局と確定されたターゲット基地局との間にＸ２接続が存在することを検出し、接続情報記憶ユニットに記憶された他の基地局に接続されたサービングゲートウェイの情報に応じて、ターゲット基地局と基地局に接続されたサービングゲートウェイとの間に接続が存在すると確定する場合に、Ｘ２ハンドオーバーユニットをトリガーすることに用いられる。Ｘ２ハンドオーバーユニットは、ハンドオーバー判断ユニットのトリガーに応じて、Ｘ２ハンドオーバーを開始することに用いられる。
【００５２】
前記基地局は、Ｓ１ハンドオーバーユニットを更に含むことができる。ハンドオーバー判断ユニットは、ターゲット基地局と基地局に接続されたサービングゲートウェイとの間に接続が存在しないと確定する場合に、Ｓ１ハンドオーバーユニットをトリガーすることに更に用いられる。Ｓ１ハンドオーバーユニットは、ハンドオーバー判断ユニットのトリガーに応じて、Ｓ１ハンドオーバーを開始する。
【００５３】
前記基地局は、基地局とＸ２接続を確立する場合に、他の基地局によって提供された、他の基地局に接続されたサービングゲートウェイの情報を受信し、且つ接続情報記憶ユニットに記憶することに用いられる接続情報受信ユニットを更に含むことができる。
【００５４】
前記基地局は、Ｘ２接続管理ユニットと接続情報送信ユニットとを更に含むことができる。接続情報記憶ユニットは、基地局に接続されたサービングゲートウェイの情報を記憶することに更に用いられる。Ｘ２接続管理ユニットは、他の基地局とＸ２接続を確立し、且つ接続情報送信ユニットをトリガーすることに用いられる。接続情報送信ユニットは、Ｘ２ハンドオーバー管理ユニットのトリガーに応じて、他の基地局へ接続情報記憶ユニットに記憶された、基地局に接続されたサービングゲートウェイの情報を提供することに用いられる。接続情報記憶ユニットに記憶されたサービングゲートウェイの情報は、直接に接続情報記憶ユニットに配置されてもよいし、MMEからのものであってもよい。MMEからのものである場合、前記基地局は、MMEに提供された、基地局に接続されたサービングゲートウェイの情報を受信し、且つ接続情報記憶ユニットに記憶することに用いられる接続情報受信ユニットを更に含む。
【００５５】
前記基地局は、他の基地局とのＸ２接続を切断した場合に、接続情報記憶ユニットに記憶された、Ｘ２接続を切断した、基地局に接続されたサービングゲートウェイの情報を削除することに用いられるＸ２接続管理ユニットを更に含むことができる。
【００５６】
接続情報記憶ユニットに、基地局に接続されたサービングゲートウェイの情報が記憶されている場合に、前記基地局は、配置更新ユニットと接続情報送信ユニットを更に含むことができる。配置更新ユニットは、接続情報記憶ユニットに記憶された、基地局に接続されたサービングゲートウェイの情報を更新し、且つ接続情報送信ユニットをトリガーすることに用いられる。接続情報送信ユニットは、配置更新ユニットのトリガーに応じて、他の基地局へ接続情報記憶ユニットに記憶された、基地局に接続されサービングゲートウェイの情報を提供することに用いられる。
【００５７】
図６は、本発明におけるＸ２ハンドオーバーの実現システムの構造図である。図６に示すように、当該システムは、基地局と他の基地局とを含む。基地局は、他の基地局と異なる。他の基地局は、基地局へ接続されたサービングゲートウェイの情報を提供することに用いられる。基地局は、ハンドオーバーを行う必要があると確定する場合に、自体と確定されたターゲット基地局との間にＸ２接続が存在することを検出し、取得された他の基地局に接続されたサービングゲートウェイの情報に応じて、ターゲット基地局と自体に接続されたサービングゲートウェイとの間に接続が存在すると確定する場合に、Ｘ２ハンドオーバーを開始することに用いられる。
【００５８】
基地局は、ターゲット基地局と自体に接続されたサービングゲートウェイとの間に接続が存在しないと確定する場合に、Ｓ１ハンドオーバーを開始することに更に用いられる。
【００５９】
基地局は、他の基地局とのＸ２接続を確立する場合に、相応的な基地局へ自体に接続されたサービングゲートウェイの情報を提供することに更に用いられる。
【００６０】
基地局は、他の基地局とのＸ２接続を切断した場合に、自体に記憶されたＸ２接続を切断した、基地局に接続されたサービングゲートウェイの情報を削除することに用いられる。
【００６１】
他の基地局に提供された接続されたサービングゲートウェイの情報は、直接に他の基地局に配置されてよいし、MMEからのものであってもよい。 MMEからのものである場合に、当該システムは、他の基地局へ前記他の基地局に接続されたサービングゲートウェイの情報を提供することに用いられるMMEを更に含む。
【００６２】
他の基地局は、配置された接続されたサービングゲートウェイが変更した場合に、基地局へ配置更新後の接続されたサービングゲートウェイの情報を提供することに更に用いられる。
【００６３】
前記のものは、本発明のより好ましい実施形態にすぎず、本発明の特許請求の範囲を限定することに用いられるものではない。
【図１】
2012533945.tif 000003
【図２】
2012533945.tif 000004
【図３】
2012533945.tif 000005
【図４】
2012533945.tif 000006
【図５】
2012533945.tif 000007
【図６】
2012533945.tif 000008
【国際調査報告】
2012533945.tif 000009
2012533945.tif 000010
2012533945.tif 000011
2012533945.tif 000012